(57)【特許請求の範囲】
【請求項１】
用紙を積層させて収容させる給紙カセット内に、収容された用紙の端面に当接させて用紙の位置を規制する規制面が設けられた用紙規制部材を用紙の規制方向に移動可能に設け、この用紙規制部材を操作部材により所定位置に係止させて、収容された用紙の位置を規制するようにした給紙カセットにおいて、前記の用紙規制部材における規制面側に、前記の操作部材の操作により用紙の送り方向に往復移動される作動アームを用紙の送り方向に沿って設けると共に、前記の作動アームに対して複数の揺動規制部材を、用紙の送り方向に所要間隔を介するようにして用紙に向けて揺動可能に保持させ、各揺動規制部材を、前記の規制面から突出しない退避位置と規制面から用紙側に突出する規制位置との間で移動可能に設け、前記の操作部材によって用紙規制部材を所定位置に係止させる動作と、前記の各揺動規制部材を移動させる動作とを連動させたことを特徴とする給紙カセット。
【請求項２】
請求項１に記載の給紙カセットにおいて、前記の操作部材によって用紙規制部材を所定位置に係止させた場合に、用紙規制部材における規制面が用紙の端面に当接された状態では、前記の各揺動規制部材が、用紙の端面に抑止されて用紙規制部材の規制面から突出するのが抑制される一方、用紙規制部材における規制面が用紙の端面から離れた状態では、前記の各揺動規制部材が退避位置から用紙の端面に当接する規制位置に移動されるようにしたことを特徴とする給紙カセット。
【請求項３】
請求項１又は請求項２に記載の給紙カセットにおいて、前記の各揺動規制部材を、用紙規制部材における規制面側に用紙に向けて揺動可能に保持させるにあたり、前記の各揺動規制部材を付勢部材により用紙に向けて付勢させるようにしたことを特徴とする給紙カセット。
【請求項４】
請求項１〜請求項３の何れか１項に記載の給紙カセットにおいて、前記の操作部材によって用紙規制部材の係止を解除させる操作により、前記の各揺動規制部材が退避位置に移動される一方、前記の操作部材によって用紙規制部材を係止させる操作により、用紙規制部材が係止され、その後、前記の各揺動規制部材が退避位置から用紙の端面に当接する規制位置に移動されることを特徴とする給紙カセット。
【請求項５】
請求項１〜請求項４の何れか１項に記載の給紙カセットにおいて、前記の用紙規制部材を用紙の送り方向と直交する用紙の幅方向両側に設け、少なくとも一方の用紙規制部材に前記の操作部材と作動アームと各揺動規制部材とを設けたことを特徴とする給紙カセット。
【請求項６】
給紙カセットに収容された用紙を給紙させて画像形成を行う画像形成装置において、請求項１〜請求項５の何れか１項に記載の給紙カセットを用いたことを特徴とする画像形成装置。
【発明の詳細な説明】
【技術分野】
【０００１】
本発明は、用紙を積層させて収容させる給紙カセット及びこの給紙カセットに収容された用紙を給紙させて画像形成を行う画像形成装置に関するものである。特に、用紙を積層させて収容させる給紙カセット内に、収容された用紙の端面に当接させて用紙の位置を規制する規制面が設けられた用紙規制部材を用紙の規制方向に移動可能に設け、この用紙規制部材を操作部材により所定位置に係止させて、収容された用紙の位置を規制するようにした給紙カセットにおいて、用紙規制部材の規制面に用紙の端面が適切に当接されない状態で、用紙規制部材が係止された場合においても、給紙カセット内に収容された用紙が用紙規制部材により適切に規制されて、給紙カセット内において用紙がずれたりすることなく、用紙が適切に給紙されるようにした点に特徴を有するものである。
【背景技術】
【０００２】
複写機、プリンター、ファクシミリ及びこれらの複合機からなる画像形成装置においては、一般に、用紙を積層させて収容させた給紙カセット内から用紙を給紙し、このように給紙された用紙を画像形成工程に導いて、この用紙にトナー画像を形成するようにしている。
【０００３】
そして、このような給紙カセットにおいては、給紙カセット内に収容された用紙が適切に給紙されるようにするため、用紙を積層させて収容させる給紙カセット内に、収容された用紙の端面に当接させて用紙の位置を規制する規制面が設けられた用紙規制部材を用紙の規制方向に移動可能に設け、用紙規制部材の規制面に用紙の端面を当接させるようにして、用紙規制部材を操作部材により所定位置に係止させ、給紙カセット内に収容された用紙の位置をこの用紙規制部材によって規制することが行われている。
【０００４】
しかし、用紙の端面が用紙規制部材の規制面に当接するようにして、用紙規制部材を操作部材により係止させる操作は、通常、画像形成装置を使用するユーザーが用紙の交換時等に行うため、給紙カセット内に収容された用紙の端面が、常に用紙規制部材の規制面に適切に当接されるようにして、操作部材により用紙規制部材が適切な位置に正確に係止されるとは限られず、用紙規制部材の規制面と用紙の端面との間に隙間が生じ、給紙カセット内に収容された用紙がずれて、用紙を適切に給紙させることができなくなることがあった。
【０００５】
また、近年においては、特許文献１に示されるように、用紙の給紙方向後端を位置決めするエンドガイドを、弾性部材により用紙に押し付けるようにしたものが示されている。
【０００６】
しかし、特許文献１に示されるものにおいては、弾性部材によりエンドガイド全体を用紙に押し付けるようにしているため、給紙カセット内に収容された用紙の量が少なくなると、用紙がエンドガイドに強く押されて、用紙が座屈して給紙不良が発生するおそれがあった。
【０００７】
また、特許文献１に示されるものは、用紙の給紙方向後端を位置決めするエンドガイドを、弾性部材により用紙に押し付けるようにしているため、用紙の送り方向と直交する用紙の幅方向において、用紙規制部材の規制面に用紙の端面が適切に当接されない場合には、給紙カセット内に収容された用紙を適切に給紙させることができなくなるという問題が依然として存在した。
【先行技術文献】
【特許文献】
【０００８】
【特許文献１】特許第３７８８５１６号公報
【発明の開示】
【発明が解決しようとする課題】
【０００９】
本発明は、用紙を積層させて収容させる給紙カセット内に、収容された用紙の端面に当接させて用紙の位置を規制する規制面が設けられた用紙規制部材を用紙の規制方向に移動可能に設け、この用紙規制部材を操作部材により所定位置に係止させて、給紙カセット内に収容された用紙の位置を規制するようにした給紙カセットにおける前記のような問題を解決することを課題とするものである。
【００１０】
すなわち、本発明においては、前記のような給紙カセットにおいて、用紙規制部材の規制面に用紙の端面が適切に当接されない状態で、用紙規制部材が係止された場合においても、給紙カセット内に収容された用紙が用紙規制部材により適切に規制されて、用紙が給紙カセット内においてずれたりすることなく、適切に給紙されるようにすることを課題とするものである。
【課題を解決するための手段】
【００１１】
本発明においては、前記のような課題を解決するため、用紙を積層させて収容させる給紙カセット内に、収容された用紙の端面に当接させて用紙の位置を規制する規制面が設けられた用紙規制部材を用紙の規制方向に移動可能に設け、この用紙規制部材を操作部材により所定位置に係止させて、収容された用紙の位置を規制するようにした給紙カセットにおいて、前記の用紙規制部材における規制面側に、前記の操作部材の操作により用紙の送り方向に往復移動される作動アームを用紙の送り方向に沿って設けると共に、前記の作動アームに対して複数の揺動規制部材を、用紙の送り方向に所要間隔を介するようにして用紙に向けて揺動可能に保持させ、各揺動規制部材を、前記の規制面から突出しない退避位置と規制面から用紙側に突出する規制位置との間で移動可能に設け、前記の操作部材によって用紙規制部材を所定位置に係止させる動作と、前記の各揺動規制部材を移動させる動作とを連動させるようにした。
【００１２】
そして、本発明の給紙カセットにおいては、前記の操作部材によって用紙規制部材を所定位置に係止させた場合において、用紙規制部材における規制面が用紙の端面に当接された状態では、前記の各揺動規制部材が、用紙の端面に抑止されて用紙規制部材の規制面から突出するのが抑制される一方、用紙規制部材における規制面が用紙の端面から離れた状態では、前記の各揺動規制部材が退避位置から用紙の端面に当接する規制位置に移動されるようにすることができる。このようにすると、操作部材によって用紙規制部材を所定位置に係止させた場合に、用紙規制部材における規制面が用紙の端面に当接された状態にある場合には、用紙の端面が各揺動規制部材の小さな力によって部分的に押されるだけで、各揺動規制部材が用紙の端面に抑止され、用紙全体が各揺動規制部材に押されて変形するということがない一方、用紙規制部材における規制面が用紙の端面から離れた状態にある場合には、各揺動規制部材が退避位置から用紙の端面に当接する規制位置に移動されて、用紙が各揺動規制部材によって規制されるようになる。
【００１３】
また、前記の各揺動規制部材を、用紙規制部材における規制面側に用紙に向けて揺動可能に保持させるにあたっては、前記の各揺動規制部材を付勢部材により用紙に向けて付勢させるようにすることができる。
【００１４】
また、前記の操作部材によって用紙規制部材の係止を解除させる操作により、前記の各揺動規制部材が退避位置に移動される一方、前記の操作部材によって用紙規制部材を係止させる操作により、用紙規制部材が係止され、その後、前記の各揺動規制部材が退避位置から用紙の端面に当接する規制位置に移動されるようにすることができる。
【００１５】
ここで、前記の給紙カセットにおいて、用紙規制部材における規制面側に用紙に向けて揺動可能に保持された各揺動規制部材を、前記の規制面から突出しない退避位置と規制面から用紙側に突出する規制位置との間で移動可能に設けるにあたっては、前記の用紙規制部材を用紙の送り方向と直交する用紙の幅方向両側に設け、少なくとも一方の用紙規制部材に、前記の操作部材と作動アームと各揺動規制部材とを設けるようにすることができる。
【００１６】
また、本発明に係る画像形成装置においては、給紙カセットに収容された用紙を給紙させて画像形成を行うにあたり、前記のような給紙カセットを用いるようにした。
【発明の効果】
【００１７】
本発明に係る給紙カセットにおいては、前記のように用紙規制部材における規制面側に用紙に向けて揺動可能に保持された各揺動規制部材を、前記の規制面から突出しない退避位置と規制面から用紙側に突出する規制位置との間で移動可能に設け、操作部材によって用紙規制部材を所定位置に係止させる動作と、前記の揺動規制部材を移動させる動作とを連動させ、操作部材によって用紙規制部材を係止させずに操作させる時点（ロック解除時）では、前記の各揺動規制部材を用紙規制部材における規制面から突出しない退避位置に移動させることにより、用紙を当接させる面が単一になり、ユーザーの操作性が向上する。また、前記の操作部材によって用紙規制部材を所定位置に係止させた後に、前記の各揺動規制部材を用紙規制部材の規制面から突出する位置に付勢させるため、用紙規制部材を係止させる前は、ユーザーが各揺動規制部材の用紙への付勢力の反力を感じることがなく、用紙規制部材を用紙に当接させることが容易に行えるようになる。
【００１８】
また、本発明に係る給紙カセットにおいては、前記の操作部材によって用紙規制部材を所定位置に係止させた場合において、用紙規制部材における規制面に用紙の端面が当接された状態においては、各揺動規制部材が用紙の端面に抑止されて退避位置に維持されるようになり、用紙全体が各揺動規制部材に押されて変形するということがない。
【００１９】
一方、用紙規制部材における規制面が用紙の端面から離れた状態において、各揺動規制部材が退避位置から用紙の端面に当接する規制位置に移動されるようにすると、用紙規制部材の規制面に用紙の端面が適切に当接されない状態であっても、給紙カセット内に収容された用紙が各揺動規制部材により適切に規制されて、給紙カセット内においてずれたりすることなく、適切に給紙されるようになる。
【図面の簡単な説明】
【００２０】
【図１】本発明の実施形態に係る給紙カセットを使用する画像形成装置を示した概略説明図である。
【図２】本発明の実施形態に係る給紙カセットの概略斜視図である。
【図３】前記の実施形態に係る給紙カセットにおいて、幅規制用の用紙規制部材に揺動規制部材や操作部材を設けた状態を示し、（Ａ）は概略斜視図、（Ｂ）は概略平面図である。
【図４】前記の実施形態に係る給紙カセットにおいて、前記の用紙規制部材に設けた操作部材を回動させて、操作部材に設けた係止レバーを上下方向に移動させる状態を示し、（Ａ）は、前記の用紙規制部材を用紙の幅方向に移動させるにあたり、前記の係止レバーを上方に移動させて位置決めレールから離脱させた状態を示した概略説明図、（Ｂ）は、前記の用紙規制部材を所定の位置に係止させるにあたり、前記の係止レバーを下方に移動させて位置決めレールに係合させた状態を示した概略説明図である。
【図５】前記の実施形態に係る給紙カセットにおいて、前記の操作部材によって前記の揺動規制部材を用紙に向けて移動させる構成を示した概略斜視図である。
【図６】前記の実施形態に係る給紙カセットにおいて、前記の操作部材を回動させて揺動規制部材を用紙に向けて移動させる状態を示し、（Ａ）は、揺動規制部材を前記の用紙規制部材の規制面から突出しない退避位置に移動させた状態を示した概略平面図、（Ｂ）は、揺動規制部材を前記の用紙規制部材の規制面から用紙側に突出する規制位置に移動させた状態を示した概略平面図である。
【図７】前記の実施形態に係る給紙カセットにおいて、給紙カセット内に収容された用紙の幅方向に位置を、幅規制用の用紙規制部材によって規制する状態を示し、（Ａ）は、用紙の幅方向の端面が用紙規制部材の規制面に当接されて規制されている場合に、前記の揺動規制部材が用紙規制部材の規制面と同一面になる位置に退避される状態を示した概略部分説明図、（Ｂ）は、用紙における幅方向の端面が用紙規制部材の規制面に当接されていない場合に、前記の揺動規制部材が、用紙規制部材の規制面から用紙側に向けて突出されて用紙の幅方向の端面に当接される状態を示した概略部分説明図である。
【発明を実施するための形態】
【００２１】
次に、この発明の実施形態に係る給紙カセット及びこの給紙カセットを用いる画像形成装置を添付図面に基づいて具体的に説明する。なお、本発明に係る給紙カセット及び画像形成装置は、下記の実施形態に示したものに限定されず、その要旨を変更しない範囲において適宜変更して実施できるものである。
【００２２】
この実施形態においては、図１に示すように、画像形成装置１内の下部に給紙カセット３０を取出し可能に装着させ、この給紙カセット３０に複数枚の用紙Ｓを積層させて収容させると共に、前記の画像形成装置１内に４つのイメージングカートリッジ１０Ａ〜１０Ｄを装着させている。
【００２３】
ここで、前記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を中間転写ベルト２１に転写させた後に残留するトナーを感光体１１の表面から除去するクリーニング装置１５とを設けている。
【００２４】
また、前記の各イメージングカートリッジ１０Ａ〜１０Ｄにおける各現像装置１４においては、それぞれ収容させるトナーの色彩を異ならせ、黒色，黄色，マゼンダ色，シアン色のトナーを収容させている。
【００２５】
そして、この画像形成装置１においては、前記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、前記の各現像装置１４からそれぞれの色彩のトナーを供給して、各感光体１１の表面にそれぞれの色彩のトナー画像を形成するようにしている。
【００２６】
次いで、このように各イメージングカートリッジ１０Ａ〜１０Ｄにおける各感光体１１の表面に形成された各色彩のトナー画像を、中間転写ベルト２１に順々に転写させて、この中間転写ベルト２１の上に合成されたトナー画像を形成すると共に、転写後の各感光体１１の表面に残留するトナーをそれぞれクリーニング装置１５によって各感光体１１の表面から除去するようにしている。
【００２７】
一方、前記の給紙カセット３０内に収容された用紙Ｓの給紙方向先端側を押上げ部材３１により押し上げ、上面側における用紙Ｓをピックアップローラー２２ａにより送り出し、この用紙Ｓを給紙ローラー２２ｂと捌きローラー２２ｃとの間に導き、給紙ローラー２２ｂと捌きローラー２２ｃとの間を通して１枚の用紙Ｓをタイミングローラー２３に導くようにしている。
【００２８】
そして、前記の中間転写ベルト２１の上に合成されたトナー画像を、中間転写ベルト２１により転写ローラー２４と対向する位置に導くようにすると共に、前記のタイミングローラー２３によって用紙Ｓを適当なタイミングで前記の中間転写ベルト２１と転写ローラー２４との間に導き、中間転写ベルト２１上に形成された前記のトナー画像を用紙Ｓに転写させるようにしている。また、用紙Ｓに転写されずに中間転写ベルト２１上に残ったトナーを、第２クリーニング装置２５によって中間転写ベルト２１から除去するようにしている。
【００２９】
次いで、前記のようにしてトナー画像が転写された用紙Ｓを定着装置２６に導き、この定着装置２６において、前記のトナー画像を用紙Ｓに定着させ、その後、トナー画像が定着された用紙Ｓを排紙ローラー２７によって排紙するようにしている。
【００３０】
ここで、この実施形態における給紙カセット３０においては、図２に示すように、給紙カセット３０内に収容される用紙Ｓの給紙方向Ｙの後端部の位置を規制する後端規制用の用紙規制部材３２を給紙方向Ｙに移動可能に設けると共に、給紙カセット３０内に収容される用紙Ｓの幅方向Ｘの両側の位置を規制する幅規制用の一対の用紙規制部材３３，３３を用紙Ｓの幅方向Ｘに移動可能に設けている。なお、用紙Ｓの幅方向Ｘは前記の給紙方向Ｙと直交する方向であって、この実施形態では規制方向になる。
【００３１】
そして、前記の後端規制用の用紙規制部材３２を給紙方向Ｙに移動させ、この後端規制用の用紙規制部材３２を給紙カセット３０内に収容された用紙Ｓの後端に当接させた状態で、この後端規制用の用紙規制部材３２を係止させ、給紙カセット３０内に収容された用紙Ｓの後端の位置を規制するようにしている。また、前記の幅規制用の一対の用紙規制部材３３，３３を、一緒に動作するようにして給紙方向Ｙと交差する用紙Ｓの幅方向Ｘに移動させ、この一対の用紙規制部材３３，３３を、それぞれ給紙カセット３０内に収容された用紙Ｓの幅方向Ｘの端面に当接させた状態で、この一対の用紙規制部材３３，３３を係止させ、給紙カセット３０内に収容された用紙Ｓの幅方向Ｘの位置を規制するようにしている。
【００３２】
ここで、この実施形態における給紙カセット３０においては、図３（Ａ），（Ｂ）に示すように、前記の幅規制用の一対の用紙規制部材３３，３３における一方の用紙規制部材３３において、用紙Ｓの幅方向Ｘの端面に当接させる用紙の位置を規制する規制面３３１に、用紙Ｓの積層方向に伸びた揺動規制部材３３２を用紙Ｓの給紙方向Ｙに所要間隔を介して複数設け、各揺動規制部材３３２を、後述するバネからなる付勢部材３３６によって付勢させた状態で用紙Ｓに向けて揺動可能に保持させるようにすると共に、各揺動規制部材３３２を、前記の用紙規制部材３３における規制面３３１から突出しない退避位置と、規制面３３１から用紙Ｓに向けて突出する規制位置との間で移動できるようにしている。
【００３３】
また、この実施形態において、一対の用紙規制部材３３，３３を一緒に動作するようにして給紙方向Ｙと交差する用紙Ｓの幅方向Ｘに移動させ、一対の用紙規制部材３３，３３を所定の位置に係止させるにあたっては、揺動規制部材３３２が設けられた一方の用紙規制部材３３における前記の規制面３３１と反対側の面の上部に、図４（Ａ），（Ｂ）に示すように、回転支点３３３ａを中心に回動する操作部材３３３を設け、この操作部材３３３の回動に伴って上下方向に移動する係止レバー３３４を設ける一方、前記の給紙カセット３０の底部に、前記の係止レバー３３４の下端部における係止部３３４ａが係合される係合部３４ａを有する位置決めレール３４を用紙Ｓの幅方向Ｘに沿って設けている。
【００３４】
そして、図４（Ａ）に示すように、前記の係止レバー３３４を持ち上げる方向に操作部材３３３を回動させて、係止レバー３３４を上方に移動させ、この係止レバー３３４の下端部における係止部３３４ａを位置決めレール３４における係合部３４ａの上方に移動させて離脱させ、この状態で、用紙規制部材３３を用紙Ｓの幅方向Ｘに移動させるようにしている。
【００３５】
一方、この用紙規制部材３３を所定の位置に係止させるにあたっては、図４（Ｂ）に示すように、前記の係止レバー３３４を下降させる方向に操作部材３３３を回動させて、係止レバー３３４を下方に移動させ、この係止レバー３３４の下端部における係止部３３４ａを位置決めレール３４における所定位置の係合部３４ａに係合させて、用紙規制部材３３を係止させるようにしている。
【００３６】
また、この実施形態においては、前記の操作部材３３３によって用紙規制部材３３を所定位置に係止させる動作と、前記の揺動規制部材３３２を規制面３３１から突出しない退避位置と規制面３３１から用紙Ｓに向けて突出する規制位置との間で移動させる動作を連動させるにあたり、図５及び図６（Ａ），（Ｂ）に示すように、前記の用紙規制部材３３の規制面３３１と反対側において、給紙方向Ｙに沿った作動アーム３３５を前記の各揺動規制部材３３２に係合させるようにして給紙方向Ｙにスライド可能に設けている。そして、この作動アーム３３５において、前記の規制面３３１と反対側の部分に、各揺動規制部材３３２に対応させて、揺動規制部材３３２を退避位置から規制位置に移動させるための各係合凹部３３５ａを設けると共に、この作動アーム３３５に前記の回動する操作部材３３３と接触するように動作部３３５ｂを設け、前記の操作部材３３３の回動に伴って、前記の動作部３３５ｂを介して作動アーム３３５が給紙方向Ｙに沿って往復移動されるようにしている。
【００３７】
そして、この実施形態において、前記の用紙規制部材３３を給紙方向Ｙと交差する用紙Ｓの幅方向Ｘに移動させるにあたって、前記の図４（Ａ）に示すように、前記の係止レバー３３４を、位置決めレール３４の上方に移動させる方向に前記の操作部材３３３を回動させて、係止レバー３３４の下端部における係止部３３４ａを位置決めレール３４における係合部３４ａから離脱させるようにする。この状態では、図６（Ａ）に示すように、前記の操作部材３３３により、前記の作動アーム３３５に設けられた前記の動作部３３５ｂを介して、作動アーム３３５が所定方向に移動され、前記の各揺動規制部材３３２が、作動アーム３３５に設けられた前記の各係合凹部３３５ａに係合されずに、規制面３３１と反対側における作動アーム３３５の部分に規制され、前記の揺動規制部材３３２が用紙Ｓと当接する方向とは逆方向に移動されて、揺動規制部材３３２が用紙規制部材３３の規制面３３１から突出しない退避位置に維持されるようになる。
【００３８】
一方、前記の用紙規制部材３３を所定位置に係止させるにあたって、前記の図４（Ｂ）に示すように、前記の操作部材３３３を、前記の図４（Ａ）の場合とは逆方向に回動させて、前記の係止レバー３３４を位置決めレール３４の下方に移動させ、係止レバー３３４の下端部における係止部３３４ａを位置決めレール３４における所定位置の係合部３４ａに係合させるようにする。この状態では、図６（Ｂ）に示すように、前記の操作部材３３３により、前記の作動アーム３３５に設けられた前記の動作部３３５ｂを介して、作動アーム３３５が前記の図６（Ａ）の場合とは逆方向に移動され、前記の各揺動規制部材３３２が、作動アーム３３５に設けられた前記の各係合凹部３３５ａに係合されて、揺動規制部材３３２が用紙規制部材３３の規制面３３１から用紙Ｓ側に向けて突出されるようになる。
【００３９】
そして、この実施形態における給紙カセット３０において、給紙カセット３０内に収容された用紙Ｓにおける幅方向の位置を前記の用紙規制部材３３によって規制させるにあたって、前記の図４（Ａ）に示すように、前記の操作部材３３３を回動させて、係止レバー３３４の下端部における係止部３３４ａを位置決めレール３４における係合部３４ａから離脱させ、この状態で、用紙規制部材３３を給紙方向Ｙと交差する用紙Ｓの幅方向Ｘに移動させた後、前記の図４（Ｂ）に示すように、操作部材３３３を図４（Ａ）の場合とは逆方向に回動させて、係止レバー３３４の下端部における係止部３３４ａを位置決めレール３４における所定位置の係合部３４ａに係合させて、用紙規制部材３３を所定位置に係止させるようにする。
【００４０】
ここで、このように用紙規制部材３３を所定位置に係止させた場合、前記の図６（Ｂ）に示すように、前記の揺動規制部材３３２が、作動アーム３３５に設けられた前記の係合凹部３３５ａに係合されて、揺動規制部材３３２が用紙規制部材３３の規制面３３１から用紙Ｓ側に向けて突出されるようになるが、図７（Ａ）に示すように、給紙カセット３０内に収容された用紙Ｓにおける幅方向の端面が、用紙規制部材３３における規制面３３１に当接されて規制される状態では、用紙規制部材３３の規制面３３１に揺動可能に保持された揺動規制部材３３２を用紙Ｓに向けて付勢する前記の付勢部材３３６が、規制面３３１に当接された用紙Ｓに押されて収縮し、揺動規制部材３３２が用紙規制部材３３における規制面３３１と同一面になる位置に退避されるようになる。この結果、用紙規制部材３３における規制面３３１に当接されて規制された用紙Ｓが、前記の揺動規制部材３３２に押されて変形したりすることなく、給紙カセット３０内に収容された用紙Ｓが、用紙Ｓの幅方向において、前記の用紙規制部材３３の規制面３３１により適切な位置に規制されて保持されるようになり、給紙カセット３０内に収容された用紙Ｓが適切に給紙されるようになる。
【００４１】
一方、用紙規制部材３３を所定位置に係止させた場合に、図７（Ｂ）に示すように、給紙カセット３０内に収容された用紙Ｓにおける幅方向の端面が、用紙規制部材３３における規制面３３１に当接されない状態では、前記の付勢部材３３６の付勢力により、前記の図６（Ｂ）に示すように、揺動規制部材３３２が用紙規制部材３３の規制面３３１から用紙Ｓ側に向けて突出され、このように規制面３３１から用紙Ｓ側に向けて突出された揺動規制部材３３２が、給紙カセット３０内に収容された用紙Ｓにおける幅方向の端面に当接されて、給紙カセット３０内に収容された用紙Ｓが、用紙Ｓの幅方向において、用紙規制部材３３に設けた前記の揺動規制部材３３２によって適切な位置に規制されて保持されるようになる。この結果、用紙規制部材３３における規制面３３１に、用紙Ｓにおける幅方向の端面が当接されない状態で、用紙規制部材３３が係止された場合であっても、給紙カセット３０内に収容された用紙Ｓが適切に給紙されるようになる。
【００４２】
なお、この実施形態においては、給紙カセット３０内に収容される用紙Ｓの幅方向Ｘの位置を規制する幅規制用の一方の用紙規制部材３３にだけ、揺動規制部材３３２を設けるようにしたが、揺動規制部材３３２を両側の用紙規制部材３３に設けるようにすることも可能である。
【００４３】
また、この実施形態においては、給紙カセット３０内に収容される用紙Ｓの幅方向Ｘの位置を規制する幅規制用の用紙規制部材３３に揺動規制部材３３２を設けるようにしたが、図示していないが、給紙カセット３０内に収容される用紙Ｓの給紙方向Ｙの後端部の位置を規制する後端規制用の用紙規制部材３２に、前記のような揺動規制部材を設けるようにすることも可能である。
【符号の説明】
【００４４】
１  画像形成装置
１０Ａ，１０Ｂ，１０Ｃ，１０Ｄ  イメージングカートリッジ
１１  感光体
１２  帯電装置
１３  露光装置
１４  現像装置
１５  クリーニング装置
２１  中間転写ベルト
２２ａ  ピックアップローラー、２２ｂ  給紙ローラー、２２ｃ  捌きローラー
２３  タイミングローラー
２４  転写ローラー
２５  第２クリーニング装置
２６  定着装置
２７  排紙ローラー
３０  給紙カセット
３１  押上げ部材
３２  後端規制用の用紙規制部材
３３  幅規制用の用紙規制部材
３４  位置決めレール、３４ａ  係合部
３３１  規制面
３３２  揺動規制部材
３３３  操作部材、３３３ａ  回転支点
３３４  係止レバー、３３４ａ  係止部
３３５  作動アーム、３３５ａ  係合凹部、３３５ｂ  動作部
３３６  付勢部材
Ｓ    用紙
Ｘ    幅方向（規制方向）
Ｙ    給紙方向
【図１】
0006672782.tif 000002
【図２】
0006672782.tif 000003
【図３】
0006672782.tif 000004
【図４】
0006672782.tif 000005
【図５】
0006672782.tif 000006
【図６】
0006672782.tif 000007
【図７】
0006672782.tif 000008